(57)【要約】【課題】情報量の増大に対応可能であり、しかも、装置全体の小型化及び低コスト化が可能な改札機及び改札方法を提供することを目的とする。【解決手段】  投入口に投入された券媒体から改札処理に必要な改札情報に対応した二次元コードを光学的に読み取る読取部２０と、読取部により読み取られた二次元コードに基づいて改札処理を行うＣＰＵ２００と、改札処理により利用者の通過を許可する旨の判定結果に基づき、投入口の券媒体を所定の搬送経路に沿って搬送する搬送機構２１と、搬送経路上で券媒体に対して所定の処理を施す穿孔部２２及び印刷部２３と、を備えたことを特徴とする。【選択図】      図５
2008090426.tif 000002
【特許請求の範囲】
【請求項１】
投入口に投入された券媒体から改札処理に必要な改札情報に対応した二次元コードを光学的に読み取る読取手段と、
前記読取手段により読み取られた二次元コードに基づいて改札処理を行う改札手段と、
前記改札手段による改札処理により、利用者の通過を許可する旨の判定結果に基づき、投入口の券媒体を所定の搬送経路に沿って搬送する搬送手段と、
搬送経路上で券媒体に対して所定の処理を施す券処理手段と、
を備えたことを特徴とする改札機。
【請求項２】
さらに、前記改札手段による改札処理により、利用者の通過を阻止する旨の判定結果に基づき、エラー内容を案内する案内手段を備えたことを特徴とする請求項１に記載の改札機。
【請求項３】
さらに、前記券処理手段は、改札処理の結果に対応した所定情報を券媒体に印刷する印刷手段、及び、券媒体に穿孔を形成する穿孔手段を含むことを特徴とする請求項１に記載の改札機。
【請求項４】
投入口に投入された券媒体から改札処理に必要な改札情報に対応した二次元コードを光学的に読み取り、
読み取られた二次元コードに基づいて改札処理を行い、
改札処理により、利用者の通過を許可する旨の判定結果に基づき、投入口の券媒体を改札機内の所定の搬送経路に沿って搬送する、
ことを特徴とする改札方法。
【請求項５】
さらに、改札処理により、利用者の通過を阻止する旨の判定結果に基づき、投入口の券媒体を改札機内に取り込むことなく、エラー内容を案内することを特徴とする請求項４に記載の改札方法。
【請求項６】
さらに、搬送経路に沿って搬送されている券媒体に対して改札処理の結果に対応した所定情報を印刷し、
券媒体に穿孔を形成する、
ことを特徴とする請求項４に記載の改札方法。
【発明の詳細な説明】
【技術分野】
【０００１】
この発明は、改札機及び改札方法に係り、特に、改札情報に対応したＱＲコードなどの二次元コードに基づいて改札処理を行う改札機及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。また、改札処理において改札情報に基づき、運賃不足、期限切れ、区間外乗車、あるいは、券媒体からの改札情報の読取エラー及び券媒体への改札情報の書込エラー等の理由から通行を許可しない旨の判定に基づき、改札機は、改札通路を閉鎖して利用者の通行を阻止する。
【０００３】
最近では、磁気式の券媒体以外にも無線式の券媒体を取り扱う改札機も実用化されている。このような改札機は、磁気の券媒体による改札処理に加え、無線式の券媒体による改札処理を行う。つまり、このような改札機は、無線式の券媒体と交信し、無線式の券媒体から改札情報に基づいて、利用者の通行の可否を判定する。
【０００４】
一方で、改札情報に対応したバーコードを印刷した券媒体を用いて改札処理を行う改札機も提案されている（例えば、特許文献１及び特許文献２参照）。これらの改札機によれば、光学的にバーコードを読み取る装置を備えており、利用者によって翳された券媒体からバーコードを読み取って対応する改札情報に基づいて改札処理を行うものである。
【特許文献１】特開平６−１５００９４号公報
【特許文献２】特許平９−０６９１７４号公報
【発明の開示】
【発明が解決しようとする課題】
【０００５】
特に、空港の搭乗口などに設置される改札機は、航空券や搭乗券といった大型の券媒体の長手方向に沿って伸びる磁気ストライプから磁気記録された改札情報を読み取る必要がある。このため、改札機内の搬送経路が長く、改札機本体の小型化及び低コスト化が望まれている。
【０００６】
この発明は、上述した問題点に鑑みなされたものであって、その目的は、情報量の増大に対応可能であり、しかも、装置全体の小型化及び低コスト化が可能な改札機及び改札方法を提供することにある。
【課題を解決するための手段】
【０００７】
この発明の第１の態様による改札機は、
投入口に投入された券媒体から改札処理に必要な改札情報に対応した二次元コードを光学的に読み取る読取手段と、
前記読取手段により読み取られた二次元コードに基づいて改札処理を行う改札手段と、
前記改札手段による改札処理により、利用者の通過を許可する旨の判定結果に基づき、投入口の券媒体を所定の搬送経路に沿って搬送する搬送手段と、
搬送経路上で券媒体に対して所定の処理を施す券処理手段と、
を備えたことを特徴とする。
【０００８】
この発明の第２の態様による改札方法は、
投入口に投入された券媒体から改札処理に必要な改札情報に対応した二次元コードを光学的に読み取り、
読み取られた二次元コードに基づいて改札処理を行い、
改札処理により、利用者の通過を許可する旨の判定結果に基づき、投入口の券媒体を改札機内の所定の搬送経路に沿って搬送する、
ことを特徴とする。
【発明の効果】
【０００９】
この発明によれば、情報量の増大に対応可能であり、しかも、装置全体の小型化及び低コスト化が可能な改札機及び改札方法を提供することができる。
【発明を実施するための最良の形態】
【００１０】
以下、この発明の一実施の形態に係る改札機、及び、改札方法について図面を参照して説明する。
【００１１】
図１及び図２に示に示すように、改札機は、筐体１を備えている。このような改札機では、例えば、２台の筐体１を対向配置して、これらの間に利用者が通行可能な改札通路が形成される。なお、一方は、仕切りを形成するものであれば良く、板状部材であっても良いし、柱や柵などであってもよい。
【００１２】
すなわち、改札機の筐体１は、投入口２、排出口３、表示部５、スピーカ７などを備えている。
【００１３】
投入口２は、筐体１における通行方向上流側に設けられ、施設内への入場時または施設内からの出場時に投入された券媒体を受け取り可能である。投入口２の近傍には、券媒体の投入を阻止するためのシャッタが設けられている。また、排出口３は、筐体１における通行方向下流側に設けられ、投入口２から受け取った券媒体を必要に応じて排出可能である。
【００１４】
表示部５は、筐体１における上面に配置され、利用者や係員などに対して種々の案内情報を表示する。スピーカ７は、利用者や係員などに対して種々の案内情報に対応した音声を出力する。これらの表示部５及びスピーカ７は、案内手段としての機能を有している。
【００１５】
また、図３に示すように、改札機の筐体１は、上述したような構成のほかに、ドア９０や通過検知器９などを備えていても良い。ドア９０は、筐体１における改札通路側の側面に配置され、利用者の通行を制御するために開閉可能に構成されている。このドア９０は、利用者の通行を許可する場合に改札通路を開放し、また、利用者の通行を阻止する場合に改札通路を閉鎖する。通過検知器９は、筐体１の改札通路側における側面部に配置され、利用者の通行を検知するための出力信号を出力する。
【００１６】
図４に示すように、改札機の内部機構において、投入口２付近には、読取部２０が配置されている。この読取部２０は、利用者によって投入された券媒体に印刷された二次元コードを光学的に読み取るものであり、読取手段としての機能を有している。
【００１７】
投入口２と排出口３との間には、投入口２から投入された券媒体を矢印ａで示した順方向に沿って排出口３に向けて搬送するための搬送機構２１が配置されている。この搬送機構２１は、各種搬送ベルト及び搬送ローラなどで規定される搬送経路を有している。このような構成の搬送機構２１は、投入口２から投入された券媒体を搬送する搬送手段としての機能を有している。
【００１８】
搬送経路上には、投入口２から排出口３に沿い、穿孔部２２、印刷部２３などが順に設けられている。穿孔部２２は、搬送経路を搬送されてきた券媒体に対して必要に応じて穿孔を形成する（パンチ処理）ものであり、穿孔手段としての機能を有している。印刷部２３は、搬送経路を搬送された券媒体に対して必要に応じて日時や改札場所名などの所定の情報、また、乗車便名や座席番号などの情報などの改札処理の結果に対応した所定情報を印刷するものであり、印刷手段としての機能を有している。
【００１９】
図５に示すように、改札機は、装置全体の制御を司るＣＰＵ２００を備えている。このＣＰＵ２００は、券媒体が有する改札情報に基づいて改札処理を行う改札手段及び改札機を構成する各機構の駆動を制御する制御手段としての機能を有している。
【００２０】
このＣＰＵ２００には、メモリ部２０１が接続されている。メモリ部２０１は、制御プログラムやＲＯＭ、券媒体から読み取った情報を記憶するとともに制御プログラムのバッファとして情報を記憶するＲＡＭ、運賃情報等を記録している運賃メモリなどで構成されている。
【００２１】
また、このＣＰＵ２００には、読取部２０を制御する読取制御回路２０２が接続されている。ＣＰＵ２００は、読取部２０を介して券媒体から読み取った情報を基に利用者の通過の可否を判定する改札処理を行う。
【００２２】
さらに、ＣＰＵ２００には、搬送機構２１を制御する搬送制御回路２０３、穿孔部２２を制御する穿孔制御回路２０４、印刷部２３を制御する印刷制御回路２０５、表示部５を制御する表示制御回路２０６、スピーカ７を制御する音声出力制御回路２０７、上位機器との間での情報のやり取りを制御する通信制御部２０８などが接続されている。
【００２３】
次に、この実施の形態に係る改札機により改札処理が可能な券媒体について説明をする。すなわち、改札処理可能な券媒体としては、改札処理に必要な改札情報に対応した二次元コードが印刷されたものであり、この改札情報としては、利用者個人のＩＤ、券番号、購入金額、有効期間、有効区間、乗車便名、座席区分、発着時刻、発着地、座席番号、搭乗口などの情報が含まれている。これらの改札情報のうち、一部の情報は、利用者及び係員によって目視可能とするために、券面に印刷されている。このような二次元コードは、縦及び横の二方向に情報を持つことが可能であり、情報量の増大に対応可能である。
【００２４】
次に、上述した改札機に適用可能な改札処理方法について説明する。なお、ここでは、航空券や搭乗券といった航空機を利用する際に適用される券媒体による改札処理方法について説明する。
【００２５】
すなわち、図６に示すように、ＣＰＵ２００は、投入口２に券媒体が投入されたのに基づいて、読取制御回路２０２を制御して読取部２０により、券媒体に印刷された二次元コードを読み取る（ＳＴ１）。
【００２６】
図７には、この改札機により改札処理が可能な券媒体Ｔの一例が図示されている。この券媒体Ｔは、例えば定期券などと同等のサイズであり、その券面には、券媒体Ｔの投入方向や各種情報が印刷されており、また、改札情報に対応した二次元コードＴ１も印刷されており、さらには、改札処理の結果に対応した情報を印刷可能な印刷領域Ｔ２が確保されている。
【００２７】
ＣＰＵ２００は、読取部２０により、券媒体から二次元コードの読取処理が完了したのに基づき（ＳＴ２、Ｙ）、読み取られた二次元コードに基づいて利用者の改札通路の通過の可否を判定する改札処理を行う（ＳＴ３）。ＣＰＵ２００は、二次元コードの読取処理が行えなかった場合には（ＳＴ２、Ｎ）、表示制御回路２０６を制御して表示部５にエラー内容を案内するための画面を表示するとともに、音声出力制御回路２０７を制御してスピーカ７を介してエラー内容を音声により案内する（ＳＴ４）。
【００２８】
ＣＰＵ２００は、改札処理の結果、利用者の通過を許可する旨の判定を行った場合（判定ＯＫ）には（ＳＴ５、Ｙ）、搬送制御回路２０３を制御して搬送機構２１を駆動し、投入口２に投入された券媒体を機体内部に取り込む（ＳＴ６）。そして、ＣＰＵ２００は、搬送経路に沿って搬送されている券媒体Ｔに対して必要に応じた所定の券処理を施す（ＳＴ７）。例えば、ＣＰＵ２００は、必要に応じて、穿孔制御回路２０４を制御して穿孔部２２を駆動して券媒体Ｔに穿孔を形成し、また、印刷制御回路２０５を制御して印刷部２３を駆動し、改札処理の結果に対応した必要な情報を搬送されている券媒体に印刷する。
【００２９】
図８には、この改札機により券処理が施された券媒体Ｔの一例が図示されている。この券媒体Ｔの券面において、印刷領域Ｔ２には、改札処理の結果に対応した情報、例えば日時や座席番号などの情報が印刷されているとともに、穿孔Ｔ３が形成されている。
【００３０】
一方、ステップＳＴ５において、ＣＰＵ２００は、改札処理の結果、利用者の通過を許可しないと判定を行った場合（判定ＮＧ）には（ＳＴ５、Ｎ）、表示制御回路２０６を制御して表示部５にエラー内容を案内するための画面を表示するとともに、音声出力制御回路２０７を制御してスピーカ７を介してエラー内容を音声により案内する（ＳＴ４）。
【００３１】
そして、ＣＰＵ２００は、券媒体をさらに搬送経路に沿って搬送方向下流側に向けて搬送し、排出口３から排出した券媒体が利用者によって抜き取られたことを検知したのに基づいて、一連の改札処理を終了する。
【００３２】
上述した実施形態によれば、改札情報に対応した二次元コードを読み取って改札処理を行う改札機においては、従来のような高価な無線通信処理装置や磁気処理装置を搭載した装置構成と比較して、装置全体の導入コストを削減することが可能となる。
【００３３】
また、上述した改札機においては、磁気処理装置などの消耗品がなく、ランニングコストも削減することが可能となる。特に、投入口付近に読取部を備えたことにより、投入口に券媒体が投入された状態で、改札処理を行うことができ、しかも、改札処理により判定ＯＫの場合のみ搬送機構によって券媒体が搬送される。逆に、投入口に投入された券媒体から二次元コードを読み取れなかった場合や改札処理により判定ＮＧの場合には、券媒体は搬送されず、機体内部に取り込まれない。磁気処理装置を備えた改札機では、いかなる券媒体が投入された場合であっても少なくとも１度は券媒体を機体内部に取り込んで磁気情報の読み取りを試み、読み取った磁気情報に基づいて改札処理を行う必要があったため、磁気処理装置や搬送機構を維持するためのコストがかさむことがある。このため、上述した改札機は、低コスト化に極めて有利な構成である。
【００３４】
また、航空券や搭乗券といった大きな情報量の改札情報を有する券媒体について、このような改札情報を情報量の増大に対応可能な二次元コード化し、この二次元コードの読み取りによって改札処理を行う改札機においては、従来の大型券の磁気ストライプから改札情報を読み取る構成の改札機と比較して、搬送経路の短縮が可能であり、装置本体の小型化が可能となる。
【００３５】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３６】
上述した実施の形態では、搬送機構より手前に読取部を配置し、判定ＯＫである場合以外は搬送機構による券媒体の搬送を行わないような構成例について説明したが、図９に示すように、搬送経路上に読取部２０を配置し、読取部２０により二次元コードを読み取れなかった場合や改札処理により判定ＮＧの場合に、投入口２に向けて券媒体を逆搬送するような構成であっても良い。
【００３７】
また、上述した実施の形態では、二次元コード化した改札情報に基づいて、改札処理を行う改札機について説明したが、これらをＲＦＩＤ（Ｒａｄｉｏ  Ｆｒｅｑｕｅｎｃｙ  Ｉｄｅｎｔｉｆｉｃａｔｉｏｎ）システムに置き換えても良い。
【図面の簡単な説明】
【００３８】
【図１】図１は、この発明の一実施の形態に係る改札機の外観を概略的に示す図である。
【図２】図２は、図１に示した改札機の筐体の外観の一例を概略的に示す側面図である。
【図３】図３は、図１に示した改札機の他の筐体の外観を概略的に示す側面図である。
【図４】図４は、図１に示した改札機に適用可能な内部構造の一例を概略的に示す図である。
【図５】図５は、図１に示した改札機の制御系の構成を概略的に示すブロック図である。
【図６】図６は、図１に示した改札機に適用可能な改札方法を説明するためのフローチャートである。
【図７】図７は、図１に示した改札機に適用可能な改札前の券媒体の一例を示す図である。
【図８】図８は、図１に示した改札機に適用可能な改札後の券媒体の一例を示す図である。
【図９】図９は、図１に示した改札機に適用可能な他の内部構造例を概略的に示す図である。
【符号の説明】
【００３９】
Ｔ…券媒体  １…筐体  ２…投入口  ３…排出口  ５…表示部  ７…スピーカ  ２０…読取部  ２１…搬送機構  ２２…穿孔部  ２３…印刷部  ２００…ＣＰＵ  ２０１…メモリ部  ２０２…読取制御回路  ２０３…搬送制御回路  ２０４…穿孔制御回路  ２０５…印刷制御回路  ２０６…表示制御回路  ２０７…音声出力制御回路  ２０８…通信制御部
【図１】
2008090426.tif 000003
【図２】
2008090426.tif 000004
【図３】
2008090426.tif 000005
【図４】
2008090426.tif 000006
【図５】
2008090426.tif 000007
【図６】
2008090426.tif 000008
【図７】
2008090426.tif 000009
【図８】
2008090426.tif 000010
【図９】
2008090426.tif 000011